(57)【要約】【課題】運用事業者にとっては、データネットワークに流れるデータトラフィック量をある程度予測することができ、ネットワークの設備配備や運用を容易にするとともに、データネットワークのユーザにとっては、入力または出力回線用バッファの占有率を契約することで、ネットワーク利用上の満足度を向上させる。【解決手段】ユーザ端末１１〜１４から送信され、中継伝送路から入力回線を介して到着するデータパケットのネットワーク２のノード３における入力回線用、または出力回線用バッファメモリ４，５への格納を、前記契約により設定された占有率により制御し、出力回線用バッファメモリ５に格納されたデータパケットをラウンドロビン方式により出力回線に送出する。契約では、バッファの使用割合を複数の契約回線に対して任意に設定することができる。【選択図】        図１
2004336182.tif 000002
【特許請求の範囲】
【請求項１】
データパケットの転送を行うデータネットワークのユーザ端末が送信するデータパケットに対して、該ネットワークのノードで格納する入力回線用、または出力回線用バッファメモリの占有率を、該データネットワークの運用事業者との契約により確保し、該ノードに確保したバッファメモリを自ユーザ端末から送信するデータパケットのネットワークのノードからの転送に専ら使用する専用バッファサービス方法であって、
該ユーザ端末から送信され、中継伝送路から入力回線を介して到着するデータパケットのネットワークのノードにおける入力回線用、または出力回線用バッファメモリへの格納を、前記契約により設定された占有率により制御し、出力回線用バッファメモリに格納されたデータパケットをラウンドロビン方式により出力回線に送出することを特徴とする専用バッファサービス方法。
【請求項２】
前記データパケットの転送を行うデータネットワークはＳＴＭにより送信し、該ＳＴＭにより入力回線を介して、定められた順番により到着するデータパケットのネットワークのノードにおける入力回線用、または出力回線用バッファメモリへの格納を、前記契約により設定する占有率により制御することを特徴とする請求項１に記載の専用バッファサービス方法。
【請求項３】
前記データネットワークでは、契約する前記ユーザ端末からのデータパケットの入力回線用、または出力回線用バッファメモリの占有率を０から１００％の間で複数設定し、該ユーザ端末からのデータパケットのネットワークのノードにおける入力回線用、または出力回線用バッファメモリへの格納を、該契約された占有率により制御することを特徴とする請求項１に記載の専用バッファサービス方法。
【請求項４】
前記データネットワークのユーザ端末からのデータパケットをネットワークのノードにおいて格納する入力回線用、または出力回線用バッファメモリの占有率の希望が１００％を超える場合、該データネットワークのノードのメモリを増設することにより、該データパケットのネットワークのノードにおける入力回線用、または出力回線用バッファメモリへの格納の実質的に１００％を超える占有率による制御を行うことを特徴とする請求項１に記載の専用バッファサービス方法。
【請求項５】
前記データパケットの転送を行うデータネットワークを構成する中継装置は、該中継装置で使用するバッファメモリを、契約に従ってユーザ端末毎に使用割合を任意に固定することを特徴とする請求項１から４のいずれかに記載の専用バッファサービス方法。
【請求項６】
前記データパケットの転送を行うデータネットワークを構成する中継装置は、該中継装置で使用するバッファメモリを、複数の契約回線に対してユーザ端末毎に使用割合を任意に固定することを特徴とする請求項１から５のいずれかに記載の専用バッファサービス方法。
【請求項７】
前記ユーザ端末は、該ユーザ端末からＷＥＢページもしくはコマンドラインのいずれかを用いての指定操作に基づき、ノードで使用するバッファメモリを、複数の契約回線に対して使用割合を任意に固定することを特徴とする請求項１から６のいずれかに記載の専用バッファサービス方法。
【請求項８】
データパケットの転送を行うデータネットワークのユーザ端末が送信するデータパケットに対して、該ネットワークのノードで格納する入力回線用、または出力回線用バッファメモリの占有率を、該データネットワークの運用事業者との契約により確保し、該ノードに確保したバッファメモリを自ユーザ端末から送信するデータパケットのネットワークのノードからの転送に専ら使用する専用バッファサービスシステムであって、
該ユーザ端末から送信され、中継伝送路から入力回線を介して到着するデータパケットのネットワークのノードにおける前記契約により設定された占有率により制御される入力回線用バッファメモリと、
該入力回線用バッファメモリに格納されたデータパケットを所定のリンクを介して転送された後、前記契約により設定された占有率により制御され、格納されたデータパケットをラウンドロビン方式により出力回線に送出する出力回線用バッファメモリとを具備することを特徴とする専用バッファサービスシステム。
【請求項９】
データネットワークのノードにおける専用バッファサービス用プログラムであって、
前記ノードのコンピュータに、回線サービス（ＩＰ，ＳＴＭ，ＡＴＭ，その他）の契約ユーザであるか否かを判定する手順、専用バッファサービス契約ユーザであるか否かを判定する手順、いずれも契約ユーザである場合に、契約分の物理キューが確保できるか否かを判定する手順、契約分の論理キューを確保できるか否かを判定する手順、キューを確保できる場合に、契約分のキューにデータを送り込む手順、データを出力する手順をそれぞれ実行させるための専用バッファサービス用プログラム。
【請求項１０】
データネットワークのノードにおける専用バッファサービス用プログラムであって、
前記ノードのコンピュータに、回線サービス（ＩＰ，ＳＴＭ，ＡＴＭ，その他）の契約ユーザであるか否かを判定する手順、専用バッファサービス契約ユーザであるか否かを判定する手順、いずれも契約ユーザである場合、ユーザが選択したメモリ量を受け取る手順、当該装置にユーザにより選択された物理メモリ量が足りているか否かを判定する手順、足りない場合に、物理メモリ増設契約を締結する手順、メモリの増設の指示を送る手順、物理メモリ量が足りる場合に、選択された物理メモリ量を専用バッファに設定する手順を、それぞれ実行させるための専用バッファサービス用プログラム。
【請求項１１】
請求項１０または１１に記載の専用バッファサービス用プログラムを記録したコンピュータ読み取り可能な記録媒体。
【発明の詳細な説明】
【０００１】
【発明の属する技術分野】
本発明は、データネットワークにおけるパケット転送サービスのバッファサービスに関し、特にデータネットワークのユーザが、ユーザ端末から送信するデータパケットをネットワークのノードにおける入力回線用または出力回線用バッファメモリに格納する場合に、データネットワークの運用事業者との契約により設定する占有率により制御する専用バッファサービス方法、およびそのシステム、ならびにそのプログラムと記録媒体に関する。
【０００２】
【従来の技術】
従来のこの種のサービス方法としては、回線を流れるパケット量の監視や制御を行うものは公知である。例えば、日経ＢＰ社発行（２００２年３月２５日発行）の日経コミュニケーションブックスの『通信・ネットワーク用語ハンドブック』２００２版５１３頁には、ＷＦＱ（ｗｅｉｇｈｔｅｄ  ｆａｉｒ  ｑｕｅｕｉｎｇ）の説明があり、『複数のキューがある場合、どのキューのパケットから送出するかを決めるキューイング・アルゴリズムの一つ』であると記載されている。各キューに割り当てられた帯域や優先度に応じて、キューに重み付けを設定するとともに、パケットのサイズも考慮する。サイズの大きいパケットは、相対的に送出時の優先順位は低くなる。また、重み付けをせずに、どのキューも平等に扱うアルゴリズムを『ｆａｉｒ  ｑｕｅｕｉｎｇ』と言う。ある会社のルータは、ＷＦＱを各インタフェース・モジュール毎に実施する『分散ＷＦＱ』を採用している、と記載されている。
【０００３】
【非特許文献１】
日経ＢＰ社発行（２００２年３月２５日発行）の日経コミュニケーションブックスの『通信・ネットワーク用語ハンドブック』２００２版５１３頁、ＷＦＱ（ｗｅｉｇｈｔｅｄ  ｆａｉｒ  ｑｕｅｕｉｎｇ）の記述
【０００４】
【発明が解決しようとする課題】
前述のように、回線を流れるパケットの監視や制御を行うものはあったが、データネットワークのユーザが端末から送信するデータパケットを格納するネットワークのノードにおいて、入力回線用または出力回線用バッファメモリなどのリソース量を確保して、ネットワークにおけるパケットの転送確率や速度を直接制御するものはなかった。その結果、データネットワークの運用事業者にとっては、ネットワークに入力するデータ量の予測が難しく、一方、ユーザにとっては、発信したパケットがネットワークの中で失われる可能性がある、という問題があった。
【０００５】
本発明の目的は、データネットワークの運用事業者にとっては、データネットワークに流れるデータトラフィック量をある程度予測することができ、ネットワークの設備配備や運用が容易になるとともに、データネットワークのユーザにとっては、入力または出力回線用バッファメモリの占有率を契約することで、ネットワーク利用上の満足度を向上させることが可能な専用バッファサービス方法、およびそのシステム、ならびにそのプログラムと記録媒体を提供することにある。
【０００６】
【課題を解決するための手段】
本発明の専用バッファサービス方法は、▲１▼データパケットの転送を行うデータネットワークのユーザ端末が送信するデータパケットに対して、該ネットワークのノードで格納する入力回線用、または出力回線用バッファメモリの占有率を、該データネットワークの運用事業者との契約により確保し、該ノードに確保したバッファメモリを自ユーザ端末から送信するデータパケットのネットワークのノードからの転送に専ら使用する専用バッファサービス方法であって、該ユーザ端末から送信され、ＳＴＭやＡＴＭ、ＩＰ伝送により入力回線を介して到着するデータパケットのネットワークのノードにおける入力回線用、または出力回線用バッファメモリへの格納を、前記契約により設定された占有率により制御し、出力回線用バッファメモリに格納されたデータパケットをラウンドロビン方式により出力回線に送出することを特徴としている。
【０００７】
また、▲２▼前記データパケットの転送を行うデータネットワークはＳＴＭにより送信し、該ＳＴＭにより入力回線を介して、定められた順番により到着するデータパケットのネットワークのノードにおける入力回線用、または出力回線用バッファメモリへの格納を、前記契約により設定する占有率により制御することも特徴としている。
また、▲３▼前記データネットワークでは、契約する前記ユーザ端末からのデータパケットの入力回線用、または出力回線用バッファメモリの占有率を０から１００％の間で複数設定し、該ユーザ端末からのデータパケットのネットワークのノードにおける入力回線用、または出力回線用バッファメモリへの格納を、該契約された占有率により制御することも特徴としている。
【０００８】
また、▲４▼前記データネットワークのユーザ端末からのデータパケットをネットワークのノードにおいて格納する入力回線用、または出力回線用バッファメモリの占有率の希望が１００％を超える場合、該データネットワークのノードのメモリを増設することにより、該データパケットのネットワークのノードにおける入力回線用、または出力回線用バッファメモリへの格納の実質的に１００％を超える占有率による制御を行うことも特徴としている。
また、▲５▼前記データパケットの転送を行うデータネットワークを構成する中継装置は、該中継装置で使用するバッファメモリを、契約に従ってユーザ端末毎に使用割合を任意に固定することも特徴としている。
【０００９】
また、▲６▼前記データパケットの転送を行うデータネットワークを構成する中継装置は、該中継装置で使用するバッファメモリを、複数の契約回線に対してユーザ端末毎に使用割合を任意に固定することも特徴としている。
また、▲７▼前記ユーザ端末は、該ユーザ端末からＷＥＢページもしくはコマンドラインのいずれかを用いての指定操作に基づき、ノードで使用するバッファメモリを、複数の契約回線に対して使用割合を任意に固定することも特徴としている。
【００１０】
本発明の専用バッファサービスシステムは、▲８▼データパケットの転送を行うデータネットワークのユーザ端末が送信するデータパケットに対して、該ネットワークのノードで格納する入力回線用、または出力回線用バッファメモリの占有率を、該データネットワークの運用事業者との契約により確保し、該ノードに確保したバッファメモリを自ユーザ端末から送信するデータパケットのネットワークのノードからの転送に専ら使用する専用バッファサービスシステムであって、
該ユーザ端末から送信され、中継伝送路から入力回線を介して到着するデータパケットのネットワークのノードにおける前記契約により設定された占有率により制御される入力回線用バッファメモリと、該入力回線用バッファメモリに格納されたデータパケットを所定のリンクを介して転送された後、前記契約により設定された占有率により制御され、格納されたデータパケットをラウンドロビン方式により出力回線に送出する出力回線用バッファメモリとを具備することを特徴としている。
【００１１】
【発明の実施の形態】
以下、本発明の実施の形態を図面により説明する。なお、以下の図面では、本発明を実現する上で同じ機能を持つ構成要素には、同じ番号を付与するものとする。
（システム構成）
図１は、本発明の一実施形態を示す専用バッファサービスシステムの構成図である。
図１において、１１，１２，１３，１４はデータネットワークのユーザ端末、２はデータネットワーク、３はデータネットワーク内のノード、４はノード３の入力回線に設置されるパケットのバッファメモリ、５はノード３の出力回線に設置されるパケットのバッファメモリである。
【００１２】
図１において、データネットワーク２のユーザ端末、例えば端末１１から他の端末、例えば端末１３または１４などに向けて送信されるデータパケットは、ＳＴＭ（Ｓｙｎｃｈｒｏｎｏｕｓ  Ｔｒａｎｓｆｅｒ  Ｍｏｄｅ）、ＡＴＭ（Ａｓｙｎｃｈｒｏｎｏｕｓ  Ｔｒａｎｓｆｅｒ  Ｍｏｄｅ）やＩＰ（Ｉｎｔｅｒｎｅｔ  Ｐｒｏｔｏｃｏｌ）伝送などの中継回線より入力回線を介して、ネットワークノード３に到着し、本実施形態の専用バッファサービスによりユーザ端末１１のユーザが有する占有率の許す限り入力回線、または出力回線に設置されたパケットのバッファメモリ４または５に格納される。なお、データパケットは、入力回線に設置されたバッファメモリ４に格納された後、ノード３の制御部の制御によりリンクを介して出力回線に設置されたバッファメモリ５に転送され、格納される。
【００１３】
出力回線用バッファメモリ５に格納されたユーザ端末１１からのデータパケットは、ラウンドロビン方式により、データネットワークのノード３の出力回線から送出され、他のユーザ端末１３または１４などに向けて送信される。なお、バッフアに格納されたデータパケットは、ラウンドロビン方式、つまりＣＰＵを割り当てたタスクが一定時間走行すると、次のタスクにＣＰＵを渡すが、その場合に通常はＣＰＵ割当待ち行列の最後に接続される。
【００１４】
また、データネットワークの運用事業者が、データネットワークのユーザとの契約により、出力回線用バッファメモリの占有率によりユーザ端末からのデータパケットのネットワークノードから出力回線への読み出しを制御する場合、ユーザ端末からのデータパケットの入力回線用バッファメモリへの格納は、ユーザとの出力回線用バッファメモリの占有率に関する契約の如何にかかわらず、特に制御されることなく、バッファメモリに空きがあれば全て格納される。
【００１５】
（サービス運用）
図２は、本発明の一実施形態を示す専用バッファサービスの運用方法の説明図である。
図１と同じく、１１〜１４はデータネットワークのユーザ端末、２はデータネットワーク、３はデータネットワークのノード、４はノード３の入力回線に設置されたパケットのバッファメモリ、５はノード３の出力回線に設置されたパケットのバッファメモリ、１１１，１２１はそれぞれ端末１１および端末１２のユーザのデータネットワークのノード３における入力回線用、または出力回線用バッファメモリ４、または５の占有率である。
【００１６】
図２において、データネットワーク２のユーザ端末、例えば端末１１のユーザはノード３の入力回線用、または出力回線用バッファメモリ４、または５に１１１、例えば７０％の占有率を契約し、一方のデータネットワーク２のユーザ端末、例えば端末１２のユーザはノード３の入力回線用、または出力回線用バッファメモリ４、または５に１２１、例えば５０％のメモリ占有率を契約するものとする。
【００１７】
端末１１のユーザが、データネットワーク２の運用事業者と契約により設定したノード３の入力回線用、または出力回線用バッファメモリ占有率１１１、すなわち７０％が端末１１のユーザの送信するデータパケットを、ノード３がデータ交換のために受信する、または送信するのに十分の容量であるとすれば、図２に示すように、端末１１のユーザの送信するデータパケットはノード３の入力回線用、または出力回線用バッファメモリ４、または５に全て格納され、宛先である端末１３のユーザに中継され、送信される。
【００１８】
一方、端末１２のユーザがデータネットワーク２の運用事業者と契約により設定したノード３の入力回線用、または出力回線用バッファメモリ占有率１２１、すなわち５０％が端末１２のユーザの送信するデータパケットを、ノード３がデータ交換のために受信する、または送信するのに十分の容量であるとすれば、図２に示すように、端末１２のユーザの送信するデータパケットはノード３の入力回線用、または出力回線用バッファメモリ４、または５に全ては格納されず、宛先である端末１４のユーザに中継され、送信されるパケットはデータネットワーク２のノード３で一部が失われる。なお、図２における入力回線用バッファメモリ４の（Ｂ）は、パケットの読み出しが出力回線用バッファメモリ５からの場合、入力回線用バッファメモリ４に空きがあれば、格納されることを示している。
【００１９】
例えば、図２に示すように、端末１１からのデータパケットＡＡＡ、端末１２からのデータパケットＢＢＢがネットワーク２のノード３によりＡＡＡＢＢＢの順序で入力回線に入力された場合、実際に入力回線用バッファメモリ４に格納されるのは、ＡＢ、ＡＢ、Ａ（Ｂ）の順で格納され、最後のＢは空きがある場合にのみ格納されるが、空きがなければ廃棄される。ノード３の制御部の制御により、リンクを介して出力回線用バッファメモリ５に、ＡＢ、ＡＢ、Ａの順序で格納されることになる。
【００２０】
本実施形態の専用バッファサービスでは、７０％の転送用メモリの占有率によるパケットの出力回線への読み出しをゴールドバッファサービス、５０％の転送用メモリの占有率によるパケットの出力回線への読み出しをシルババッファサービスと呼ぶことにする。
以上のことから明らかなように、本実施形態による専用バッファサービスでは、ユーザがデータネットワークの運用事業者と契約するデータネットワーク２のノード３における入力回線用、または出力回線用バッファメモリ占有率が高いほど、ユーザの送信したデータパケットの出力回線への読み出しの成功確率や速度が増加する。
【００２１】
図４は、図２に対応するデータネットワークのノードのコンピュータにおける動作フローチャートである。
ノード３のコンピュータは、データネットワークのユーザ端末１１〜１４からデータが到着すると、回線サービス（ＩＰ，ＳＴＭ，ＡＴＭ，その他）の契約ユーザからであるか否かを判定し（ステップ１０１）、そうであれば、専用バッファサービス契約ユーザであるか否かを判定する（ステップ１０２）。ここで、回線サービス（ＩＰ，ＳＴＭ，ＡＴＭ，その他）の契約ユーザでない場合には、ＢＥ（ベストエフォート）またはＬｏｗプライオリティに設定する（ステップ１０３）。また、専用バッファサービス契約ユーザでない場合には、Ｌｏｗプライオリティまたはその他のプライオリティに設定する（ステップ１０５）。
【００２２】
次に、専用バッファサービス契約ユーザである場合には、契約分の物理キュー確保できるか否かを判定し（ステップ１０４）、できない場合には、増設の指示を与える（ステップ１０６）。契約分の物理キューが確保できる場合には、直ちに契約分の論理キューを確保できるか否かを判定する（ステップ１０７）。確保できる場合には、契約分のキューにデータを送り込み（ステップ１０８）、データを出力する（ステップ１１４）。一方、論理キューを確保できない場合には、別のフローに移り（ステップ１０９）、先ず残りのキューがある場合（ステップ１１０）、プライオリティに基づく従来の優先制御を実行する（ステップ１１２）。また、残りのキューがない場合、廃棄設定があるか否かを判定し（ステップ１１１）、なければステップ１１０に戻る。廃棄設定があれば、廃棄する（ステップ１１３）。
【００２３】
（サービス運用の他の例）
図３は、本発明の他の実施形態を示す専用バッファサービスの運用方法の説明図である。
図１，図２と同じく、１１〜１４はデータネットワークのユーザ端末、２はデータネットワーク、３はデータネットワーク２のノード、４はノード３の入力回線に設置されたパケットのバッファメモリ、５はノード３の出力回線に設置されたパケットのバッファメモリ、４１は増設後の入力回線用バッファメモリ、５１は増設後の出力回線用バッファメモリである。
【００２４】
図３において、データネットワーク２のユーザ端末、例えば端末１１のユーザが本実施形態による専用バッファサービスにより１００％を超える、データパケットを格納する入力回線用、または出力回線用バッファメモリの占有率の契約を希望するものとする。この場合、データネットワーク２のノード３の現有する入力回線用、または出力回線用バッファメモリでは、端末１１のユーザの要望には応じられないので、データネットワーク２の運用事業者はノード３のメモリを増設して、ユーザの端末１１から送信するデータパケットのノード３における入力回線用、または出力回線用バッファメモリへの格納を、実質的に１００％を超えるバッファメモリの占有率によって制御することを可能とする。
【００２５】
以上に説明した、実質的にデータネットワークのノードが有するユーザからのデータパケットを格納する入力回線用、または出力回線用バッファメモリの１００％を超える占有率によるパケットの出力回線への読み出しサービスを、本実施形態による専用バッファサービスでは、プレミアバッファサービスと呼ぶことにする。すなわち、希望するユーザに対して、現状ではバッファメモリの容量に不足があっても、メモリを増設することで、プレミアバッファサービスに対応することができる。
【００２６】
図５は、図３に対応するデータネットワークのノードのコンピュータにおける動作フローチャートである。
データネットワークのノードのコンピュータは、契約が開始され、ネットワークのユーザ端末から契約申込みデータが到着すると、回線サービス（ＩＰ，ＳＴＭ，ＡＴＭ，その他）の契約ユーザであるか否かを判定し（ステップ２０１）、そうであれば、次に専用バッファサービス契約ユーザであるか否かを判定する（ステップ２０３）。回線サービス（ＩＰ，ＳＴＭ，ＡＴＭ，その他）の契約ユーザでない場合には、新規回線契約となる（ステップ２０２）。また、専用バッファサービス契約ユーザでない場合には、新規専用バッファ契約となる（ステップ２０４）。専用バッファサービス契約ユーザである場合には、ユーザがメモリ量を選択する（ステップ２０５）。コンピュータは、当該装置にユーザが選択した物理メモリ量は足りているか否かを判定する（ステップ２０６）。足りている場合には、専用バッファの設定を行う（ステップ２１０）。また、足りない場合には、増設の可能性があれば（ステップ２０７）、物理メモリ増設契約を締結し（ステップ２０８）、メモリを増設する（ステップ２０９）。一方、物理メモリ増設契約が締結できなければ、現在のままで専用バッファの設定を行う（ステップ２１０）。
【００２７】
図２において、データネットワーク２のユーザ端末、例えばＡというユーザは、それぞれ端末１１から端末１３、および端末１２から端末１４を結ぶ複数回線を契約する１契約者とする。また、このユーザＡは、ノード３の入力回線用、または出力回線用バッファメモリ４，５のバッファメモリのうち７０％を使用できる契約をしている。同時に、ユーザＡは、ノード３の入力回線用、または出力回線用バッファメモリ４，５に端末１１から端末１３への回線に対して１１１、例えば７０％の占有率を契約し、一方、端末１２から端末１４への回線に対して１２１、例えば３０％のメモリ占有率を設定するものとする。
【００２８】
このように契約したバッファメモリに対して、自分が持つ複数の契約回線に対して自由にバッファの使用割合を設定することができる。ここでは、ゴールドバッファサービスに対して自由にバッファの使用割合を設定するので、本実施形態による専用バッファサービスでは、これをフレキシブルゴールドバッファサービスと呼ぶことにする。
例えば、ノードがデータネットワーク内の中継装置であった場合に、この中継装置で使用するバッファメモリの使用割合を契約により自由に固定することができる。その場合に、例えば端末１１から端末１３へのバッファメモリを７０％、端末１２から端末１４へのバッファメモリを５０％などと契約により固定する。
【００２９】
本実施形態の専用バッファサービス方法では、契約者であるユーザ端末からＷＥＢページもしくはコマンドラインなどを用いての指定操作に基づいて、上記バッファメモリを複数の契約回線に対して任意に使用割合を固定することができる。
なお、図４および図５のフローをコード化して専用バッファサービス用プログラムとし、これをＣＤ−ＲＯＭなどの記録媒体に格納しておけば、販売や貸与の場合に便利であり、また、データネットワークのノードコンピュータに記録媒体を装着しておけば、そのコンピュータにインストールして実行させることにより、あるいは、ネットワークを介して他のコンピュータにダウンロードすることにより、本発明を容易に実施することができる。
【００３０】
このように、従来、データネットワークのユーザから発信したパケットがネットワークの中で失われる問題を、ユーザとしては、解決できなかった。すなわち、ユーザがネットワークのノードに確保するデータパケットの入力回線用、または出力回線用バッファメモリなどのリソースにより自ら緩和する手段がなかった。さらに、データネットワークの運用事業者にとっては、ネットワークに入力するデータトラフィック量の予測が難しい、という問題があったが、本実施形態による専用バッファサービスでは、これらの問題を解決した。すなわち、ユーザがデータネットワークの運用事業者と契約するデータネットワークのノードにおける入力回線用、または出力回線用バッファメモリの占有率に対する希望がわかれば、例えば占有率が１００％を超える場合でも、データネットワークの運用事業者は、ユーザの希望に入力回線用、または出力回線用バッファメモリの増設により対応し、ユーザ端末からのデータパケットの出力回線への読み出しの成功確率や速度が極めて高いサービスを提供することができる。その結果、ユーザはより高いネットワークへの安定度や他事業者に対する優越性を得ることができる。
【００３１】
【発明の効果】
以上説明したように、本発明によれば、データネットワークのユーザは、ネットワークの運用事業者と自ら希望するネットワークのノードにおけるデータパケットの入力回線用、または出力回線用バッファメモリの占有率を契約して、送信したパケットのネットワークノードにおける転送を制御し、一方、ネットワークの運用事業者はデータネットワークに流れるデータトラフィックの量をある程度予測することができるので、データネットワークの運用事業者にとって、ネットワークの設備配備や運用が容易になるとともに、データネットワークのユーザのネットワーク利用上の満足度も向上させることができる。
【図面の簡単な説明】
【図１】本発明の一実施形態を示す専用バッファサービスシステムの構成図である。
【図２】本発明の一実施形態を示す専用バッファサービスの運用方法の説明図である。
【図３】本発明の他の実施形態を示す専用バッファサービスの運用方法の説明図である。
【図４】図２に対応したノードのコンピュータの動作フローチャートである。
【図５】図３に対応したノードのコンピュータの動作フローチャートである。
【符号の説明】
１１，１２，１３，１４…データネットワークのユーザ端末、
１１１，１２１…１１と１２の入力と出力回線用バッファメモリの占有率、
２…データネットワーク、３…データネットワークのノード、
４…ノードの入力回線用バッファメモリ、
４１…増設後の入力回線用バッファメモリ、
５…ノードの出力回線用バッファメモリ、
５１…増設後の出力回線用バッファメモリ。
【図１】
2004336182.tif 000003
【図２】
2004336182.tif 000004
【図３】
2004336182.tif 000005
【図４】
2004336182.tif 000006
【図５】
2004336182.tif 000007